【手続補正書】
【提出日】平成18年3月30日(2006.3.30)
【手続補正１】
【補正対象書類名】明細書
【補正対象項目名】特許請求の範囲
【補正方法】変更
【補正の内容】
【特許請求の範囲】
【請求項１】  非セルロース系有機ポリマー表面を有する基材、
前記非セルロース系有機ポリマー表面に配置された放射硬化コーティング、及び
前記放射硬化コーティング上に配置されたマーキング材、
を有する表示物品であって、ガソリンで５サイクルにわたって前記マーキング材を拭いたときに、このマーキング材が表示物品から実質的に除去されない、表示物品。
【請求項２】  非セルロース系有機ポリマー表面を有する前記基材が、再帰反射性シートを含む、請求項１に記載の表示物品。
【請求項３】  前記再帰反射性シートが、確認ステッカーの一部である、請求項２に記載の表示物品。
【請求項４】  前記マーキング材が着色剤及びバインダーを含み、且つこのバインダーが、ポリエステル、ビニル樹脂、ポリオレフィン、ポリビニルアセタール、アルキル又はアリール置換アクリレート又はメタクリレート、エチレン又はプロピレンとアクリル酸、メタクリル酸又は酢酸ビニルとのコポリマー、並びにそれらの組み合わせからなる群より選択されるポリマーを含む、請求項１に記載の表示物品。
【請求項５】  感圧性接着剤がコーティングされたテープを親指圧で前記マーキング材に適用してこのテープを除去したときに、このマーキング材が実質的に除去されない、請求項１に記載の表示物品。
【請求項６】  非セルロース系有機ポリマー表面を有する基材及びこの表面上に配置された放射硬化コーティングを提供すること、並びに
静電気印刷、イオン堆積印刷、磁気記録印刷、インクジェット印刷、凸版印刷、オフセット印刷、グラビア印刷、電子印刷、及び熱印刷からなる群より選択される技術を使用して、マーキング材を、前記放射硬化コーティングに適用すること、
を含む、表示物品の製造方法。
【請求項７】  非セルロース系有機ポリマー表面を有する基材及びこの非セルロース系有機ポリマー表面に配置された硬化コーティングを提供すること、並びに
電子写真印刷及びグラビア印刷からなる群より選択される技術を使用して、マーキング材を、前記非セルロース系有機ポリマー表面に適用すること、
を含む、表示物品の製造方法であって、ここでガソリンで５サイクルにわたって前記マーキング材を拭いたときに、このマーキング材が実質的に除去されない、表示物品の製造方法。
【請求項８】  放射硬化コーティングがコーティングされた非セルロース系有機ポリマー表面を有する基材を提供すること、及び
前記放射硬化コーティングに、マーキング材をスクリーン印刷すること、
を含む、表示物品の製造方法であって、
ガソリンで５サイクルにわたって前記マーキング材を拭いたときに、このマーキング材が実質的に除去されず、且つ更に
表示物品が保護覆い層を有さない、
表示物品の製造方法。
【手続補正２】
【補正対象書類名】明細書
【補正対象項目名】０１１８
【補正方法】変更
【補正の内容】
【０１１８】
本願明細書で参照した特許明細書、特許書類及び文献はいずれも、本願においてその内容全体を引用して、その記載を本願明細書の記載に含めたものとする。本発明の全体としての範囲及び趣旨を逸脱することなく、当業者は本発明に様々な修正および変更を施すことができる。従って、本発明は例示の態様及び例によって限定されるものではなく、これらの例示の態様及び例は単なる例示であり、本発明の範囲は特許請求の範囲及びこれと等価なものによってのみ限定されるものである。
従って本発明の実施態様としては下記の実施態様を挙げることができる：
（１）  非セルロース系有機ポリマー表面を有する基材、
前記非セルロース系有機ポリマー表面に配置された放射硬化コーティング、及び
前記放射硬化コーティング上に配置されたマーキング材、
を有する表示物品であって、ガソリンで５サイクルにわたって前記マーキング材を拭いたときに、このマーキング材が表示物品から実質的に除去されない、表示物品。
（２）  非セルロース系有機ポリマー表面を有する前記基材が、再帰反射性シートを含む、請求項１に記載の表示物品。
（３）  前記再帰反射性シートが、確認ステッカーの一部である、実施態様（２）に記載の表示物品。
（４）  前記マーキング材が着色剤及びバインダーを含み、且つこのバインダーが、ポリエステル、ビニル樹脂、ポリオレフィン、ポリビニルアセタール、アルキル又はアリール置換アクリレート又はメタクリレート、エチレン又はプロピレンとアクリル酸、メタクリル酸又は酢酸ビニルとのコポリマー、並びにそれらの組み合わせからなる群より選択されるポリマーを含む、実施態様（１）に記載の表示物品。
（５）  前記放射硬化コーティングが、電子ビーム硬化可能組成物からもたらされている、実施態様（１）に記載の表示物品。
（６）  前記放射硬化コーティングが、紫外線硬化可能組成物からもたらされている、実施態様（１）に記載の表示物品。
（７）  前記紫外線硬化可能組成物がアクリレートを含む、実施態様（６）に記載の表示物品。
（８）  前記アクリレートが、脂肪族アクリル化ウレタンを含む、実施態様（７）に記載の表示物品。
（９）  ガソリンで１０サイクルにわたって前記マーキング材を拭いたときに、このマーキング材が実質的に除去されない、実施態様（１）に記載の表示物品。
（１０）  ガソリンで２５サイクルにわたって前記マーキング材を拭いたときに、このマーキング材が実質的に除去されない、実施態様（８）に記載の表示物品。
（１１）  １．０００磨きサイクルにわたって前記マーキング材を擦ったときに、このマーキング材が実質的に除去されない、実施態様（１）に記載の表示物品。
（１２）  感圧性接着剤がコーティングされたテープを親指圧で前記マーキング材に適用してこのテープを除去したときに、このマーキング材が実質的に除去されない、実施態様（１）に記載の表示物品。
（１３）  感圧性接着剤がコーティングされたテープを親指圧で前記放射硬化コーティングに適用してこのテープを除去したときに、この放射硬化コーティングが実質的に除去されない、実施態様（１）に記載の表示物品。
（１４）  ガソリンで５サイクルにわたって前記放射硬化コーティングを拭いたときに、この放射硬化コーティングが実質的に除去されない、実施態様（１）に記載の表示物品。
（１５）  １，０００磨きサイクルにわたって前記放射硬化コーティングを擦ったときに、この放射硬化コーティングが実質的に除去されない、実施態様（１）に記載の表示物品。
（１６）  前記放射硬化コーティングがパターンを付けられてコーティングされている、実施態様（１）に記載の表示物品。
（１７）  前記マーキング材上に保護コーティングがない、実施態様（１）に記載の表示物品。
（１８）  有機ポリマー表面を有する再帰反射性シート、
前記有機ポリマー表面上に配置されたアクリレート含有放射硬化コーティング、及び
前記放射硬化コーティング上に配置されたマーキング材、
を有する表示物品であって、ガソリンで５サイクルにわたって前記マーキング材を拭いたときに、このマーキング材が表示物品から実質的に除去されない、表示物品。
（１９）  有機ポリマー表面を有する再帰反射性シート、
前記有機ポリマー表面上に配置された脂肪族アクリル化ウレタンを含む放射硬化コーティング、及び
前記放射硬化コーティング上に配置されたマーキング材、
を有する表示物品。
（２０）  非セルロース系有機ポリマー表面を有する基材及びこの表面上に配置された放射硬化コーティングを提供すること、並びに
静電気印刷、イオン堆積印刷、磁気記録印刷、インクジェット印刷、凸版印刷、オフセット印刷、及びグラビア印刷からなる群より選択される技術を使用して、マーキング材を、前記放射硬化コーティングに適用すること、
を含む、表示物品の製造方法。
（２１）  ガソリンで５サイクルにわたって前記マーキング材を拭いたときに、このマーキング材が実質的に除去されない、実施態様（２０）に記載の方法。
（２２）  前記表示物品が、前記マーキング材上に保護層を有さない、実施態様（２０）に記載の方法。
（２３）  非セルロース系有機ポリマー表面を有する前記基材が、再帰反射性シートを含む、実施態様（２０）に記載の方法。
（２４）  前記マーキング材が、着色剤及びバインダーを含み、且つこのバインダーが、ポリエステル、ビニル、ポリオレフィン、ポリビニルアセタール、アルキル又はアリール置換アクリレート又はメタクリレート、エチレン又はプロピレンとアクリル酸、メタクリル酸又は酢酸ビニルとのコポリマー、並びにそれらの組み合わせからなる群より選択されるポリマーを含む、実施態様（２０）に記載の方法。
（２５）  前記放射硬化コーティングが紫外線硬化可能組成物からもたらされている、実施態様（２０）に記載の方法。
（２６）  非セルロース系有機ポリマー表面を有する基材を提供すること、並びに
電子写真印刷及びグラビア印刷からなる群より選択される技術を使用して、マーキング材を、前記非セルロース系有機ポリマー表面に適用すること、
を含む、表示物品の製造方法であって、ここでガソリンで５サイクルにわたって前記マーキング材を拭いたときに、このマーキング材が実質的に除去されない、表示物品の製造方法。
（２７）  前記表示物品が、前記マーキング材上に保護コーティングを有さない、実施態様（２６）に記載の方法。
（２８）  非セルロース系有機ポリマー表面を有する前記基材が、再帰反射性シートである、実施態様（２６）に記載の方法。
（２９）  前記非セルロース系有機ポリマー表面が放射硬化コーティングを有し、このコーティング上に前記マーキング材が適用されている、実施態様（２６）に記載の方法。
（３０）  非セルロース系有機ポリマー表面を有する基材を提供すること、並びに
凸版印刷及びオフセット印刷からなる群より選択される技術を使用して、前記非セルロース系有機ポリマー表面にマーキング材を適用すること、
を含む、表示物品の製造方法であって、
ガソリンで５サイクルにわたって前記マーキング材を拭いたときに、このマーキング材が実質的に除去されず、且つ更に
前記表示物品が保護覆い層を有さない、
表示物品の製造方法。
（３１）  非セルロース系有機ポリマー表面を有する前記基材が、再帰反射性シートである、実施態様（３０）に記載の方法。
（３２）  前記有機ポリマー表面が放射硬化コーティングを有し、このコーティング上に前記マーキング材を適用する、実施態様（３０）に記載の方法。
（３３）  前記放射硬化コーティングが紫外線硬化可能組成物からもたらされている、実施態様（３２）に記載の方法。
（３４）  非セルロース系有機ポリマー表面を有する確認ステッカーを提供すること、及び
前記非セルロース系有機ポリマー表面に、マーキング材をスクリーン印刷すること、
を含む、確認ステッカーの製造方法であって、
ガソリンで５サイクルにわたって前記マーキング材を拭いたときに、このマーキング材が実質的に除去されず、且つ更に
前記確認ステッカーが保護覆い層を有さない、
確認ステッカーの製造方法。
（３５）  放射硬化コーティングがコーティングされた非セルロース系有機ポリマー表面を有する基材を提供すること、及び
前記放射硬化コーティングに、マーキング材をスクリーン印刷すること、
を含む、表示物品の製造方法であって、
ガソリンで５サイクルにわたって前記マーキング材を拭いたときに、このマーキング材が実質的に除去されず、且つ更に
表示物品が保護覆い層を有さない、
表示物品の製造方法。
（３６）  放射硬化コーティングがコーティングされた非セルロース系有機ポリマー表面を有する基材を提供すること、及び
熱物質移動印刷を使用して、マーキング材を前記放射硬化コーティングに適用すること、
を含む、表示物品の製造方法であって、
ガソリンで５サイクルにわたって前記マーキング材を拭いたときに、このマーキング材が実質的に除去されない、
表示物品の製造方法。